(57)【要約】【課題】ユニット型フィルタ装置全体を壁面に簡単に取り付け、交換が可能なユニット型フィルタ装置およびその取り付け方法を提供するものである。【解決手段】建屋の内外部間で空気を導入しあるいは排出するための風洞部分に設けられたフィルタ装置であって、フィルタ装置は、風洞部分に構成された升目状枠体の各升目の部分に配置され、その内部にフィルタを収納した筺体であって、一端を升目状枠体に固定され、他端を升目状枠体に係合するベルトにより、升目状枠体に固定されていることを特徴とする。【選択図】図１
2014223582.tif 000002
【特許請求の範囲】
【請求項１】
建屋の内外部間で空気を導入しあるいは排出するための風洞部分に設けられたフィルタ装置であって、
フィルタ装置は、前記風洞部分に構成された升目状枠体の各升目の部分に配置され、その内部にフィルタを収納した筺体であって、一端を前記升目状枠体に固定され、他端を前記升目状枠体に係合するベルトにより、前記升目状枠体に固定されていることを特徴とするフィルタ装置。
【請求項２】
請求項１に記載のフィルタ装置であって、
前記フィルタの交換のために前記フィルタ装置自体を取り外し、新しいフィルタ装置を前記ベルトにより前記升目状枠体に固定することを特徴とするフィルタ装置。
【請求項３】
請求項１または請求項２に記載のフィルタ装置であって、
前記ベルトは、筺体であるフィルタ装置の周囲部分の両端辺の２か所を固定することを特徴とするフィルタ装置。
【請求項４】
請求項１から請求項３のいずれか１項に記載のフィルタ装置であって、
前記ベルトの他端は、ベルト先端がフック状の形状を有しており、前記升目状枠体に取り付けられた固定金具にベルト先端を引掛けることで、フィルタ装置を固定することを特徴とするフィルタ装置。
【請求項５】
請求項１から請求項４のいずれか１項に記載のフィルタ装置であって、
前記フィルタ装置の、作業員が作業を行う側の角において、前記フィルタ装置と前記ベルトの間に、ベルト幅を一定に保つ役割を持った固定部品を備えることを特徴とするフィルタ装置。
【請求項６】
請求項１から請求項５のいずれか１項に記載のフィルタ装置であって、
前記フィルタ装置の上下の位置を固定する、ガイド付き平板を備えることを特徴とするフィルタ装置。
【請求項７】
請求項１から請求項６のいずれか１項に記載のフィルタ装置であって、
前記ベルトの代りに平板と長ボルトを用いてフィルタ装置を壁面に固定することを特徴とするフィルタ装置。
【請求項８】
建屋の内外部間で空気を導入しあるいは排出するための風洞部分に設けられたフィルタ装置の交換方法であって、
フィルタ装置は、前記風洞部分に構成された升目状枠体の各升目の部分に配置され、その内部にフィルタを収納した筺体であって、一端を前記升目状枠体に固定され、他端を前記升目状枠体に係合するベルトにより、前記升目状枠体に固定されており、
前記フィルタの交換のために前記ベルトを外して前記フィルタ装置自体を取り外し、新しいフィルタ装置を前記ベルトにより前記升目状枠体に固定することを特徴とするフィルタ装置の交換方法。
【発明の詳細な説明】
【技術分野】
【０００１】
本発明は、風洞内に設けられるフィルタ装置に係り、特にフィルタ装置本体を交換可能とするフィルタ装置に関する。
【背景技術】
【０００２】
例えば原子力発電所内に屋外の空気を給気する場合や屋内の空気を屋外へ排気する場合は、高性能フィルタ等を介して空気の給気および排気を行っている。しかし、フィルタは塵埃等の付着による圧損が増加するため運転時間には制限があり、適宜時期での交換、清掃を必要とする。
【０００３】
一般的なフィルタは１年に１回程度の周期での交換を行う必要がある。具体的に例えば原子力建屋内のフィルタは、給気口あるいは排気口１か所あたり複数のフィルタを設置していることが多く、その交換作業では人間がフィルタ装置の近くまで行き、手作業で交換作業を行うことが必要になる。
【０００４】
然るに原子力発電所内で事故が発生し、高線量化で作業を行うという想定の下では、作業時間には制限が定められていることから、複数のフィルタ交換作業はできるだけ短時間で行う必要がある。作業時間短縮のためには、交換作業を簡便に行える交換ツールの採用、フィルタ取り付け構造の改善といった観点での検討が不可欠である。
【０００５】
係る短縮化要請に対し、特許文献１には、「フィルタの取り替えに特定の工具を必要とせず、簡便にしかも確実にフィルタを取り付け外枠に固定することができるフィルタの固定構造を提供する。」と記載されている。
【０００６】
また、特許文献２には、「２種類以上のフィルタの取り替えに特定の工具を必要とせず、簡便にしかも確実にこれらのフィルタを取り付けることが可能なフィルタの取り付け構造を提供する。」と記載されている。
【先行技術文献】
【特許文献】
【０００７】
【特許文献１】特開２００２−５８９３３号公報
【特許文献２】特開２０１１−４７６０３号公報
【発明の概要】
【発明が解決しようとする課題】
【０００８】
特許文献１の手法では、給気口あるいは排気口部分にフィルタの取り付け外枠が最初から固定されており、交換作業は作業員が取り付け外枠の位置に赴き、取り付け外枠内に固定されたフィルタを取り外し、持参したフィルタを取り付け固定し、取り外したフィルタを運び出すというものである。特許文献２の手法も基本的には特許文献１と同じ手順を踏むものであるが、この場合に取り外すべきフィルタは多段に構成されている。
【０００９】
然るに実際問題として、この作業は一般には高所作業であり、足場の上で行われる。また交換台数、交換フィルタ数が多い、フィルタが多段構造である、フィルタ取り付け構造が相違するなど、必ずしも簡便に行えるものではない。また、交換するフィルタは多くの規格、寸法、価格のものがあり、可能なら汎用品を使用したいという要望もある。
【００１０】
これらの観点を勘案すると、従来のようにフィルタを交換してくるという発想ではなく、フィルタを収納する取り付け外枠ごと交換してしまうということが考えられる。つまり、フィルタを収納する取り付け外枠までをユニットにて構成し、ユニット型フィルタ装置の単位で交換するという考えである。
【００１１】
そこで本発明は、ユニット型フィルタ装置全体を壁面に簡単に取り付け、交換が可能なフィルタ装置を提供するものである。
【課題を解決するための手段】
【００１２】
以上のことから本発明は、建屋の内外部間で空気を導入しあるいは排出するための風洞部分に設けられたフィルタ装置であって、フィルタ装置は、風洞部分に構成された升目状枠体の各升目の部分に配置され、その内部にフィルタを収納した筺体であって、一端を升目状枠体に固定され、他端を升目状枠体に係合するベルトにより、升目状枠体に固定されていることを特徴とする。
【発明の効果】
【００１３】
本発明によれば、外枠が壁に固定されているフィルタ装置の構造に対して、ユニット型フィルタ装置全体を壁面に簡単に取り付け、交換が可能である。
【図面の簡単な説明】
【００１４】
【図１】給気口を有する建屋構造の一般的な構成を示す図。
【図２】ユニット取り付け枠とユニット型フィルタ装置の配置例を示す平面図。
【図３】ユニット型フィルタ装置の横ベルト固定方式を示す斜視図。
【図４】ユニット型フィルタ装置の縦ベルト固定方式を示す斜視図。
【図５】縦ベルト固定方式による固定方法の側面図。
【図６】ベルト幅の固定方法の概要を示す斜視図。
【図７】ベルト幅固定部材の拡大図。
【図８】ガイド付き平板の側面図．
【図９】ガイド付き平板を用いた縦ベルト固定方式の概要図。
【図１０】平板と長ボルトを用いた取り付け方法の概略図。
【発明を実施するための形態】
【００１５】
以下本発明の実施例について図面を用いて説明する。
【実施例１】
【００１６】
実施例１では、ベルトを用いたユニット型フィルタ装置の取り付け構造の説明をする。まず、図１は給気口を有する建屋構造の一般的な構成を示している。原子力発電所などの建屋壁３には、外気取り込み用の開口部分４が設けられている。取り込まれた外気はフィルタ室５に導かれ、ユニット型フィルタ装置１を経由して動力室６内のファン２により吸引されて建屋内７に給気Ａとして提供される。フィルタ室５内には、複数のユニット型フィルタ装置１が、ユニット取り付け枠８に固定されており、外気はいずれかのユニット型フィルタ装置１を介さないとファン２に流入しないようにフィルタ室５内が密閉されている。なお、この場合に空気の流路を風洞と称することがある。
【００１７】
図２は、ユニット取り付け枠８とユニット型フィルタ装置１の配置例を示す平面図である。ユニット取り付け枠８は升目状に構成された例えば１０ｃｍ幅の枠体であり、升目の間隔は概ね７０乃至８０ｃｍ程度とされる。この升目の空間内にユニット型フィルタ装置１が配置される。ユニット型フィルタ装置１の縦横寸法は升目の間隔よりも大きく設計されているので、ユニット取り付け枠８から空気が漏洩することはない。
【００１８】
このように、建屋の壁面に空けられている、換気が必要な空気が通過する穴（風洞）の下流側に、空気中の塵埃や放射性物質の除去を行うためのユニット型フィルタ装置１が縦横に２０個程度設置されている。交換作業では２０個のユニット型フィルタ装置１自体を新品のユニット型フィルタ装置１に交換する。このため本発明では、ユニット型フィルタ装置１自体をユニット取り付け枠８に取り付ける構成を以下に提案する。
【００１９】
図３などに示すようにユニット型フィルタ装置１は、ユニット取り付け枠８が形成する升目に対応した筺体構造とされている。筺体内には予め必要なサイズのフィルタが設置されている。図３は、ユニット型フィルタ装置の横ベルト固定方式を示す斜視図である。図３の取り付け事例では、ユニット型フィルタ装置１は、その上下部位が複数本のベルト３０により、横方向に固定設置されている。ここではこの方式を横ベルト固定方式と呼称することにする。ベルト３０の左右両端は、壁面（ユニット取り付け枠８）に固定されているベルト固定金具４０に固定することで、ユニット型フィルタ装置１をユニット取り付け枠８に固定している。
【００２０】
図４は、ユニット型フィルタ装置の縦ベルト固定方式を示す斜視図である。図４の取り付け事例では、ユニット型フィルタ装置１は、その左右が複数本のベルト３０により、高さ方向に固定設置されている。ここではこの方式を縦ベルト固定方式と呼称することにする。ベルト３０の上下両端は、壁面（ユニット取り付け枠８）に固定されているベルト固定金具４０に固定することで、ユニット型フィルタ装置１をユニット取り付け枠８に固定している。
【００２１】
なお、図３、図４のユニット型フィルタ装置１は、複数本のベルト３０を左右方向または縦方向に設置してユニット型フィルタ装置１をユニット取り付け枠８に固定するに際し、ベルト３０が空気の流れの妨げにならないように、筺体形状のユニット型フィルタ装置１の周囲部分の両端辺の２か所を固定する方法が最も効率的である。
【００２２】
また、固定に用いるベルト３０は市販されているベルト荷締機等の長さ調節が可能であるベルトを用いるのがよい。ユニット型フィルタ装置１の外形寸法としては、壁面の穴（風洞）よりも大きい必要がある。本発明では縦横寸法が約７００ｍｍ〜８００ｍｍ、重量が５〜１０ｋｇ程度の大きさのユニット型フィルタ装置を想定しており、この程度であれば作業員が一人でベルトを取り外し、ユニット型フィルタを入れ替えて、再びベルトで壁面に固定する作業を行うことが可能である。
【実施例２】
【００２３】
実施例２では図５に示した縦ベルト方式のユニット型フィルタ装置１の取り付け装置についてさらに詳しく説明する。図５に縦ベルト固定方式による固定方法の側面図を示す。
【００２４】
図５の事例では、ベルト３０の一方は壁面（ユニット取り付け枠８）に取り付けられている下部固定金具４５に常に固定されている。また、もう一方のベルトの先端はフック状の形状を有しており、そのフック７０を壁面に固定されている上部固定金具４６に引っ掛けることでフィルタ装置全体の固定を実現する。下部固定金具４５にベルト３０の端を常に固定しておき、上部固定金具４６からフック７０を取り外すという交換手順を踏むことで、作業の効率化とともに交換作業時のフィルタ装置１の落下を防ぐことができる。この固定方法は横ベルト方式でも採用することができる。
【００２５】
このように本発明では、フィルタ装置は、風洞部分に構成された升目状枠体の各升目の部分に配置され、その内部にフィルタを収納した筺体であって、一端を升目状枠体に固定され、他端を升目状枠体にフック７０などで係合するベルトにより、升目状枠体に固定されている。
【００２６】
なお、ベルト３０はその一部にベルト荷締機等の長さ調節機構を備えるのがよい。フック７０を壁面に固定されている上部固定金具４６に引っ掛ける動作状態では長さ調節機構を緩めておき、引っ掛け後に長さ調節機構を締めて締結固定する。
【実施例３】
【００２７】
実施例３ではユニット型フィルタ装置取り付け方法の縦ベルト方式を採用した場合において、複数本のベルト幅を一定に保つ方法について説明する。図６ベルト幅の固定方法の概要を示す斜視図を示し、図７にベルト幅固定部材の拡大図を示す。
【００２８】
ベルト３０でフィルタ装置１をユニット取り付け枠８に固定する際は、ベルト３０をフィルタ装置１の端辺に対して平行に保ち、常に同じ位置でユニット取り付け枠８に固定する必要がある。
【００２９】
そこで実施例３では、図６のようにユニット型フィルタ装置下部の、作業員が作業を行う側の角にベルト幅固定部品８０を取り付けることで、ベルト幅が作業中にずれることを防止する。また、断面が直角形状のＬ字状固定部材を用いることで、ユニット型フィルタ装置１をベルト３０のどの位置に配置すればよいかを判断しやすくなる。さらにフィルタ装置１の押し付ける面積が増加することで、取り付け後のフィルタ装置固定の安定性が向上する。
【００３０】
ベルト幅固定部品８０は、図７にその拡大図を示すように、フィルタ装置１の横幅方向のＬ字状の板材であり、Ｌ字状板材の高さ方向部材８１の左右両端にベルト通し穴９０が設けられている。２本のベルト３０は、必ずベルト通し穴９０を通過するように配置されるので、２本のベルト３０の間の横幅距離は一定に保たれる。
【００３１】
なおベルト通し穴９０は単なる通過孔ではなく、緊縛機構を備えたものとされるのがよい。例えば下方向からベルト３０を通し、一度側面に誘導して再度内部に導き、上方から抜けるような構造とすることで抜けにくい、締め付けやすい構造とすることが望ましい。
【００３２】
またＬ字状板材とされたベルト幅固定部品８０の水平方向部材８２は、フィルタ装置１の下部角を支持するのに好都合である。
【００３３】
このように図７に示した実施例３のベルト通し穴９０は、ベルト幅固定部品８０の外側に空けられており、固定に用いるベルト３０を通すことによりベルト固定部品８０とベルト３０を固定する構造になっている。その取り付け方法としては、まず上部のフック７０を外してユニット型フィルタ装置１を入れ替える。次にユニット型フィルタ装置１の下部角にＬ字状板材であるベルト幅固定部品８０を合せる。最後に上部固定金具４６にフック７０を引掛けてユニット型フィルタ装置の固定を行う。
【実施例４】
【００３４】
実施例３のユニット型フィルタ装置の下部は固定部材を用いて固定しているが、フィルタ装置上部はベルトのみで固定しているため、位置の固定が不安定である。そこで、実施例４では図８、図９に示すようにガイド付きの平板をベルトと同じ縦方向に設置することで、フィルタ装置を壁面の穴（風洞）の位置に正確に設置することを実現する。図８にガイド付き平板の側面図を示し、図９にガイド付き平板を用いた縦ベルト固定方式の概要図を示す。
【００３５】
図８のガイド付き平板１０はフィルタ装置１が上下にずれることを防ぐ部品である。ガイド付き平板１０の構造としては、フィルタ装置１の外形よりも大きい位置にずれ防止用のツメ１１を有しており、フィルタ装置をより安定してユニット取り付け枠８に固定することができる。また、ガイド付き平板のツメの外側には、上下にベルトを通す穴が空けられている。取り付け方法は実施例３と同様に、フィルタ装置１の外枠をガイド付き平板１０に合わせてから、最後に上部固定金具４６にフックを引掛けてユニット型フィルタ装置１の固定を行う。
【実施例５】
【００３６】
実施例５は固定用平板と長ボルトを用いてユニット型フィルタ装置１をユニット取り付け枠８に固定する例を説明する。図１０に平板と長ボルトを用いた取り付け方法の概略図を示す。
【００３７】
この場合の構造としては、複数枚の固定用平板１２の両端に長ボルト１３を通す穴が空けられており、その長ボルト１３をユニット取り付け枠８に締め付けていくことでフィルタ装置１を固定する。また、長ボルト１３を壁面に締め付ける際にドライバー等の工具を使うことなく作業を行うために、長ボルト１３と一体化したハンドル１４を回すことで長ボルト１３をユニット取り付け枠８に締め付ける。
【００３８】
平板１２と長ボルト１３を用いるフィルタ装置取り付け方法は、図４と同様に平板を縦に設置する場合でも実施することができる。また、ベルトを用いる方法に比べて作業の時間はかかるが、ユニット取り付け枠８への押し付け力が強いといった長所がある。
【００３９】
以上説明した本発明によれば、足場上での高所作業は筺体（ユニット型フィルタ装置１）の取り外しと取り付けのみであり、フィルタの交換に伴う煩雑な作業が生じない。このため、安全に迅速に作業することが可能である。またフィルタ交換は、事前に行っておけばよく、汎用品の使用が容易に行える。
【符号の説明】
【００４０】
１：ユニット型フィルタ装置
２：ファン
３：建屋壁
４：外気取り込み用の開口部分
５：フィルタ室
６：動力室
７：建屋内
８：ユニット取り付け枠
１０：ガイド付き平板
１１：ツメ
１２：固定用平板
１３：長ボルト
１４：ハンドル
３０：ベルト
４０：ベルト固定金具
４５：下部固定金具
４６：上部固定金具
７０：フック
８０：ベルト幅固定部品（Ｌ字状板材）
８１：Ｌ字状板材の高さ方向部材
８２：Ｌ字状板材の水平方向部材
９０：ベルト通し穴
【図１】
2014223582.tif 000003
【図２】
2014223582.tif 000004
【図３】
2014223582.tif 000005
【図４】
2014223582.tif 000006
【図５】
2014223582.tif 000007
【図６】
2014223582.tif 000008
【図７】
2014223582.tif 000009
【図８】
2014223582.tif 000010
【図９】
2014223582.tif 000011
【図１０】
2014223582.tif 000012